(57)【特許請求の範囲】
【請求項１】
棚板の前方及び後方に配置される前被係合板部及び後被係合板部と、商品の載置部を仕切る仕切板を備え、
前被係合板部及び後被係合板部は、その左右に係合領域を備える係合孔を左右方向に等間隔で複数並べてなる二列の係合孔列を、前後方向に所定距離離間させるとともに、前後二列の係合孔列を構成する係合孔の係合領域のみが前後方向で重複するように左右にずらして備えており、
仕切板は、その前後端部に各々２つの係合部を有しており、２つの係合部は、前被係合板部及び後被係合板部が備える前後二列の係合孔列を構成する係合孔の係合領域に対してそれぞれ係合可能であることを特徴とする棚板。
【発明の詳細な説明】
【技術分野】
【０００１】
本発明は、缶飲料等を陳列するショウケースに使用する棚板に関するものである。
【背景技術】
【０００２】
従来、コンビニエンスストア等の店舗において、例えば缶飲料等の商品を陳列するショウケースとして、販売する商品をショウケースの後方より陳列し、購入者がショウケースの手前より取り出すタイプの陳列棚が利用されているが、そのようなショウケースに使用される棚板には、様々な大きさ（太さ）の商品が陳列される。そのような商品の大きさの違いに対応するために、商品を仕切る仕切りの位置を変更できるタイプの棚板が知られていた（特許文献１）。
【先行技術文献】
【特許文献】
【０００３】
【特許文献１】登録実用新案第３００３８５号公報
【発明の概要】
【発明が解決しようとする課題】
【０００４】
上記先行技術文献においては、棚を幅方向に仕切る仕切板の両端に係合部を設け、仕切板の係合部を棚の手前と奥に設けられた係合孔に挿入することによって仕切板の位置決めを行っていた。
しかしながら、そのような陳列棚においては、仕切板の位置調節のために係合孔が多数必要となるが、その多くは使用時には仕切板の係合部が挿入されないこととなり、ほこり等のゴミや水滴が入り込むことがある。
そのような場合、陳列棚に設けられた係合孔は仕切板の係合部の形状に合わせて小さく形成されているので、掃除が難しく、不衛生となることがあった。
また、仕切板をがたつき無く取り付けるには、係合孔と仕切板の係合部との大きさをできるだけ同一にすることが好ましいが、全くの同一の形成することは困難であるし、また、仮に同一に形成すると係合部を係合孔に挿入することが難しくなり、結局、係合孔と仕切板の係合部との間に、係合部を容易に挿入することができ、且つ、仕切板をがたつき無く取付けることができる適度な遊びを形成することが難しかった。
【０００５】
本発明は、上記事情を鑑みたものであり、商品を前から取り出すことができるショウケースの棚板において、仕切板の左右位置調節を可能としながら、仕切板の係合部を挿入する係合孔を仕切板の係合部よりも大きく形成することができ、掃除を容易に行い得るようにするとともに、係合部を容易に挿入することができ、且つ、仕切板をがたつき無く取り付けることができる被係合部を備える棚板を提供することを目的とするものである。
【課題を解決するための手段】
【０００６】
本発明は、棚板の前方及び後方に配置される前被係合板部及び後被係合板部と、商品の載置部を仕切る仕切板を備え、前被係合板部及び後被係合板部は、その左右に係合領域を備える係合孔を左右方向に等間隔で複数並べてなる二列の係合孔列を、前後方向に所定距離離間させるとともに、前後二列の係合孔列を構成する係合孔の係合領域のみが前後方向で重複するように左右にずらして備えており、仕切板は、その前後端部に各々２つの係合部を有しており、２つの係合部は、前被係合板部及び後被係合板部が備える前後二列の係合孔列を構成する係合孔の係合領域に対してそれぞれ係合可能であることを特徴とする。
【発明の効果】
【０００７】
仕切板を係合させるための被係合部を仕切板の係合部よりも比較的に大きく形成することができるので、被係合部の掃除がしやすく、棚板を清潔に保つことができる。
【図面の簡単な説明】
【０００８】
【図１】本発明の実施形態に係る棚板を使用するショウケースの外観図である。
【図２】本発明の実施形態に係る棚板の斜視図である。
【図３】本発明の実施形態に係る棚板の（後）被係合板部を説明するための図であり、（ａ）は斜視図、（ｂ）はその一部切断図である。
【図４】（ａ）は本発明の実施形態に係る棚板の（後）被係合板部の表面の図であり、（ｂ）はその一部を拡大した拡大図である。
【図５】本発明の実施形態に係る棚板の前、後被係合板部に対して、仕切板の係合部を係合した状態を説明するための図であり、前、後被係合板部の表面の図、及び表面の図におけるｘ−ｘ断面図である。
【図６】本発明の他の実施形態に係る棚板の（後）被係合板部の表面の一部を拡大した拡大図である。
【発明を実施するための形態】
【０００９】
本発明の実施形態の棚板について、図面を参考にして説明する。
なお、本実施形態の説明においては、ショウケースの商品を取り出す方を「（手）前」、反対を「後」といい、ショウケースに向かって右側を「右」という。
（全体の構成）
図１に示すように、本発明の実施形態に係る棚板を備えるショウケースＡは、フレーム１と、フレーム１内に上下方向に複数配置された棚板２、２・・とからなり、棚板２は、フレーム１に対して、後方を高く、手前に行くに従って徐々に低くなるように配置されている。
棚板２の上面には、左右方向に複数の仕切板３が配置されており、仕切板３により仕切られた各領域に同一種類の缶飲料等の商品が前後方向に陳列され、手前の商品を取り出すことにより、重力により後方の商品が自然と手前に移動するように構成されている。
【００１０】
（棚板の構成）
図２に示すように、棚板２は、上面に商品を載置して陳列する載置部２１と、載置部２１の左右両側端に固定される側板２２，２２と、載置部２１の前方に取り外し自在に配置される前被係合板部２３と、載置部２１の後方に取り外し自在に配置される後被係合板部２４とにより構成されている。
【００１１】
載置部２１は、前後方向に複数のローラ２１１ａを有するローラ載置板２１１が棚板２の基板（図示しない）の上面を覆うように複数配置されて構成されており、載置部２１に載置された商品を上面のローラ２１１ａによって前方へ案内し、前被係合板部２３上に至るように構成されている。
棚板２の基板の上面で、ローラ載置板２１１よりも前方位置には、前被係合板部２３が取り外し自在に配置されており、ローラ載置板２１１よりも後方位置には、後被係合板部２４が取り外し自在に配置されている。前被係合板部２３及び後被係合板部２４は、ともに上面に被係合部が形成されており、後述する仕切板３の前後の係合部３２，３２を、前被係合板部２３及び後被係合板部２４の左右位置が揃った被係合部同士に係合することにより、前後方向にまっすぐな陳列領域を形成することができる。
【００１２】
仕切板３は、棚板２の上面を左右方向に仕切る仕切部３１と、仕切部３１の前後端付近の下方に形成された係合部３２，３２とからなり、前後の係合部３２，３２は同一の形状に形成されることで、前後どちらの方向にでも使用可能となっている。
【００１３】
そして、商品が陳列された状態においては、ショウケースＡの前方もしくは後方から、缶飲料等の商品の間に仕切板３を差し込んで、前後の係合部３２，３２を前被係合板部２３及び後被係合板部２４の被係合部に係合させることで、棚板２対して、商品の大きさに応じて仕切板３の左右取付位置を変更して取り付けている。
【００１４】
（被係合部の構成）
上記のように、缶飲料等の商品を陳列するショウケースにおいては、仕切板３の前後の係合部３２，３２を、棚板２の載置部２１の前方に配置された前被係合板部２３及び後方に配置された後被係合板部２４の被係合部に係合することによって棚板２に固定しているが、本発明の実施形態に係る棚板においては、仕切板３を固定するための前被係合板部２３及び後被係合板部２４の被係合部をそれぞれ前後２列に形成される係合孔群により形成している。
以下、本発明の実施形態に係る棚板に採用されている前被係合板部２３及び後被係合板部２４に構成について、図３乃至５を参考にして詳細に説明する。
なお、前被係合板部２３と後被係合板部２４とは、概ね同一の構成をなしているので、以下においては、主に後被係合板部２４を用いて説明する。
【００１５】
本発明の実施形態に係る棚板に採用されている後被係合板部２４は、図３（ａ）、（ｂ）に示すように、所定高さ寸法を有する平面視略矩形の基板２４１に対して、左右方向に等間隔で複数個の前方係合孔２４２ａが並ぶ前方係合孔列２４２と、同じく左右方向に等間隔で複数個の後方係合孔２４３ａが並ぶ後方係合孔列２４３が前後方向に所定距離離間して並べて形成されており、前方係合孔２４２ａ及び後方係合孔２４３ａは、基板２４１を貫通するように形成されている。
【００１６】
図４（ａ）に示すように、前方係合孔２４２ａ及び後方係合孔２４３ａはともに略平行四辺形をなしており、前方係合孔２４２ａは左辺が後方で右辺が前方に位置する平行四辺形をなし、後方係合孔２４３ａは左辺が前方で右辺が後方に位置する平行四辺形をなしている。
そして、図４（ｂ）に示すように、前方係合孔２４２ａ及び後方係合孔２４３ａは、それぞれ左右に仕切板３の係合部３２を係合する係合領域を備えており、後方係合孔２４３ａの右係合領域ｂ２と前方係合孔２４２ａの左係合領域ａ１とが幅寸法ｄで重複し、後方係合孔２４３ａの左係合領域ｂ１と前方係合孔２４２ａの右係合領域ａ２とが幅寸法ｄで重複するように、すなわち後方係合孔２４３ａと前方係合孔２４２ａとの係合領域が前後方向に幅寸法ｄで重複するように、前方係合孔列２４２と後方係合孔列２４３とが左右方向に位置をずらして配置されている。それにより、後方係合孔２４３ａの右係合領域ｂ２と前方係合孔２４２ａの左係合領域ａ１、及び後方係合孔２４３ａの左係合領域ｂ１と前方係合孔２４２ａの右係合領域ａ２によって、前後方向に２箇所の係合領域を有する被係合部が左右方向に複数形成されている。
【００１７】
このとき、前方係合孔２４２ａ及び後方係合孔２４３ａを平行四辺形により形成し、前方係合孔２４２ａがなす平行四辺形と後方係合孔２４３ａがなす平行四辺形の左右の辺の前後位置の関係を異ならせているので、後方係合孔２４３ａの右係合領域ｂ２と前方係合孔２４２ａの左係合領域ａ１との前後距離ｔ１と、後方係合孔２４３ａの左係合領域ｂ１と前方係合孔２４２ａの右係合領域ａ２との前後距離ｔ２を同じくすることができ、前後方向に２つの係合部分を有する被係合部を左右方向に複数形成することができるとともに、隣接する被係合部同士について、前後方向に位置をずらして形成することができる。
なお、前方係合孔２４２ａ及び後方係合孔２４３ａは、必ずしも平行四辺形である必要はなく、単に、被係合部を形成するだけであれば、左右に係合領域を備える長方形等の様々な形状を採用することができる。
【００１８】
後被係合板部２４の左端の後方係合孔２４３ａは、その左係合領域より幅寸法ｄで前方に延びる延設部分２４３ｂを備え、その前端は前方係合孔列２４２の前端位置に達しており、左端の後方係合孔２４３ａの左辺は、その左係合領域及び延設部分２４３ｂによって被係合部が形成されている。
後被係合板部２４の後方係合孔列２４３の右端、及び、前被係合板部２３の前方係合孔列２３２の両端に配置された係合孔についても、同様に延設部分を備えている。
【００１９】
一方、図５に示すように、仕切板３の前後端付近の下方に形成された係合部３２は、前後に所定距離離間する前係合部３２ａと後係合部３２ｂとから構成されている。
そして、前記前後距離ｔ１及び前後距離ｔ２は、仕切板３の係合部３２の前係合部３２ａと後係合部３２ｂの距離ｔと略同じく設定されているとともに、前方係合孔２３２ａと後方係合孔２３３ａとの重複幅寸法ｄは、仕切板３の係合部３２の前係合部３２ａと後係合部３２ｂの幅寸法と略同じく、もしくはやや大きく設定されている。
【００２０】
したがって、仕切板３の前係合部３２ａ，３２ａが前、後被係合板部２３，２４の前方係合孔２３２ａ，２４２ａに挿入されるとともに、仕切板３の後係合部３２ｂ，３２ｂが前、後被係合板部２３，２４の後方係合孔２３３ａ，２４３ａに挿入されることによって、仕切板３の係合部３２，３２は、前方係合孔２３２ａ，２４２ａの係合領域と後方係合孔２３３ａ，２４３ａの係合領域とによって左右から挟まれるように係合され、棚板２に対して、仕切板３を取り付けることができる。
なお、後被係合板部２４の後方係合孔列２４３の両端、及び、前被係合板部２３の前方係合孔列２３２の両端に配置された係合孔については、仕切板３の前係合部３２ａ，３２ａを係合孔の延設部分を利用して挿入することにより、仕切板３を棚板２に対して取り付けることができる。
【００２１】
図６は、本発明の他の実施形態の棚板の後被係合板部を示し、他の実施形態の後被係合板部においては、基板２４１の上面に、前後方向に延びるリブｒが形成されており、棚板２の前、後被係合板部２３、２４の上面に載置された缶飲料等の商品の底面との接触面積を減少させて、商品が前方に滑って移動しやすくしている。
【００２２】
以上のように、本発明の実施形態に係る棚板においては、仕切板の係合部が係合する被係合部を、左右の係合領域を備える係合孔を左右方向に並べてなる前後の係合孔列を該係合領域が左右方向に重複するようにずらして配置して形成するとともに、仕切板の係合部を前後に離間する二つの前、後係合部により形成したので、被係合部を形成する係合孔を比較的大きく形成することができ、係合孔に対して仕切板の係合部を挿入し易くし、被係合部にものが詰まることを防止して被係合部の掃除を比較的容易に行うことを可能としながら、前後の係合孔列の係合孔により仕切板を挟み込んで支持することで、安定して取り付けることができる。
さらに、係合孔を平行四辺形状等の左右の係合領域の位置が前後に異なる形状に形成することにより、二つの係合孔よりなる被係合部が、隣接する被係合部とその前後位置をずらして形成されるので、仕切板の掛け違いを防止することができる。
なお、本実施形態においては、前方係合孔２３２ａ及び後方係合孔２３３ａは、基板２３１を貫通するように形成されているが、前方係合孔２３２ａ及び後方係合孔２３３ａは基板を貫通することなく、凹部として形成してもよい。
【符号の説明】
【００２３】
１        ：フレーム
２        ：棚板
２１      ：載置部
２１１    ：ローラ載置板
２１１ａ  ：ローラ
２２      ：側板
２３      ：前被係合板部
２３１    ：基板
２３２    ：前方係合孔列
２３２ａ  ：前方係合孔
２３３ａ  ：後方係合孔
２４      ：後被係合板部
２４１    ：基板
２４２    ：前方係合孔列
２４２ａ  ：前方係合孔
２４３    ：後方係合孔列
２４３ａ  ：後方係合孔
２４３ｂ  ：延設部分
３        ：仕切板
３１      ：仕切部
３２      ：係合部
３２ａ    ：前係合部
３２ｂ    ：後係合部
【図１】
0006592795.tif 000002
【図２】
0006592795.tif 000003
【図３】
0006592795.tif 000004
【図４】
0006592795.tif 000005
【図５】
0006592795.tif 000006
【図６】
0006592795.tif 000007